(57)【要約】【課題】紙箱の前側板部分に、当該紙箱内には殆ど突出せず、かつ当該紙箱内のケーキ等を入れるスペースと完全に区分され、さらに、保冷体等を収納し易く、かつ保冷体等が落下し難い備品収納部を設けた組立て紙箱を提供する。【解決手段】把手部を設けた直方体形状の組立て紙箱において、底板１の前端縁に折り目ａを介して設けた前側板２の左右の端縁に折り目ｄを介して夫々左右の内側板７を設け、左右の内側板７を各折り目ｄにより内側に折り込んで左右の内側板７の各先端縁を前側板２上で当接又は近接させ、当該当接又は近接させた左右の内側板７の底板１側の一側端縁と前側板の相応する個所を貼着し、また、開閉前天板３側の他側端縁を貼着せず開閉自在な開口部として左右の内側板７と前側板２によって備品収納部２６を形成し、各側板を折り込んで上記底板の各端縁に夫々立設した。【選択図】図１
2007186219.tif 000002
【特許請求の範囲】
【請求項１】
底板の四辺の各側板を各折り目により折り込んで底板の周囲に各側板を立設させ、前後の各側板の上縁に夫々設けた開閉天板を水平に折り込んで箱の上部開口部を塞ぎ、上記各開閉天板の先端縁を起立させて把手部を重合し、各把手部の両側を、左右の側板の上縁に夫々設けた被係止片に係止して形成した直方体形状の組立て紙箱において、
上記底板の前端縁に折り目を介して設けた前側板の左右の端縁に折り目を介して夫々左右の内側板を設け、当該左右の内側板を各折り目により内側に折り込んで当該左右の内側板の各先端縁を上記前側板上で当接又は近接させ、当該当接又は近接させた左右の内側板の上記底板側の一側端縁と前側板の相応する個所を貼着し、また、上記開閉天板側の他側端縁を貼着せず開閉自在な開口部として当該左右の内側板と前側板によって備品収納部を形成し、
上記各側板を折り込んで上記底板の各端縁に夫々立設することを特徴とする、備品収納部付組立て紙箱。
【請求項２】
底板の四辺の各側板を各折り目により折り込んで底板の周囲に各側板を立設させ、後側板の上縁に設けた開閉天板で箱の上部開口部を塞ぐように形成した直方体形状の組立て紙箱において、
上記底板の前端縁に折り目を介して設けた前側板の前端縁に折り目を介して天板を設け、当該天板の左右の端縁に折り目を介して左右の内側天板を夫々設け、当該左右の内側天板を各折り目により内側に折り込んで当該左右の内側天板の各先端縁を上記天板上で当接又は近接させ、当該当接又は近接させた左右の内側天板の上記前側板側の一側端縁と天板の相応する個所を貼着し、また、当該前側板と反対側の他側端縁を貼着せず開閉自在な開口部として当該左右の内側天板と天板によって備品収納部を形成し、上記後側板の後端縁に設けた開閉天板の三方の各端縁に折り目を介して前縁片及び左右縁片を設け、
当該前側板以外の各側板を折り込んで上記底板の各端縁に夫々立設し、上記前側板を折り込んで上記底板の前端縁に立設し、上記備品収納部を設けた天板を折り目により上記底板側に折り込んで左右の側板上縁によって支持し、上記開閉天板の三方の前縁片及び左右縁片を折り込んで当該開閉天板の三方に周縁壁を設け、上記開閉天板を折り目により折り込んで上記天板に被せて当該天板の周縁に当該開閉天板の周縁壁を被せることを特徴とする、備品収納部付組立て紙箱。
【請求項３】
上記左右の各内側板又は各内側天板に通気用の貫通孔を夫々設けたことを特徴とする、上記請求項１又は２の何れかに記載の備品収納部付組立て紙箱。
【発明の詳細な説明】
【技術分野】
【０００１】
この発明は、洋菓子店等において、菓子やその他の食品等の持ち運びに使用される組立て自在な紙箱に関するものであって、特に、当該紙箱内部の温度の上昇を防ぐ保冷体等を収納するスペースを設けた備品収納部付組立て紙箱に関するものである。
【背景技術】
【０００２】
従来、洋菓子店において、ケーキなどの生菓子を販売する際、持ち運びに便利な紙製の組立て紙箱（以下、単に「紙箱」と言う。）を使用している。この様な紙箱においては、気温が上がる夏場はもちろん、昨今では、冬であっても、多くの場所で暖房が充分に行われているため、生ものであるケーキ等が傷まないように、当該紙箱内に保冷体を収納するスペースを設け、当該スペースに保冷体を入れて、当該紙箱内の温度が上昇するのを防ぐようにしている。
【０００３】
この様な紙箱として、紙箱内に載置されたケーキ等と接触し難く、かつ、効果的に温度上昇を防ぐものとして、いわゆる、キャリータイプと呼ばれる、上部に把手部を設けた紙箱において、当該紙箱の上蓋板の下面に、四角形のシート部材の一方向のみを開放状態とし、他の三方向の周縁を固着して、保冷体を収納する収納部を設けたものが有る。
【０００４】
また、紙箱の蓋部分を形成する前後二枚の板体の下方に、保冷体を収納する扁平な直方体形状の保冷体収納ケースを設けたものが有る。この紙箱では、保冷体収納ケースを蓋部分の下方に取り付けるのに、当該保冷体収納ケースに設けた左右位置決め片８６、８７を立設させ、これらを当該紙箱の把手片である取手片３１、３２で挟み、蓋部分を形成する板体の先端縁を当該保冷体収納ケースの上面に設けた溝孔内に差し入れて保持するというものである。
【特許文献１】特開２００５−１７０４４４号公報
【特許文献２】実用新案登録第３０８７１７３号公報
【発明の開示】
【発明が解決しようとする課題】
【０００５】
しかしながら、上記前者の紙箱では、シート部材の開放部が一方しか開放されていないので、紙箱の蓋部分の周囲に側縁等が設けられていると、店頭において、当該シート部材の内部に保冷体を素早く入れ難い。
また、上記後者の紙箱では、店頭における混雑時では、上記の様な作業を行うのは、手間を要し、あまり好まれるものではない。さらに、紙箱内に、一定の体積を有する扁平な直方体形状の保冷体収納ケースを、別途設けるので、当該紙箱内に収められたケーキ等と接触し易く、当該ケーキ等に損傷を与えるおそれがある。
【０００６】
そこで、この発明は、紙箱の天板部分又は前側板部分に、当該紙箱内には殆ど突出せず、かつ当該紙箱内のケーキ等を入れるスペースと完全に区分され、さらに、保冷体等を収納し易く、かつ保冷体等が落下し難い備品収納部を設けた組立て紙箱を提供するものである。
【課題を解決するための手段】
【０００７】
請求項１の発明は、底板の四辺の各側板を各折り目により折り込んで底板の周囲に各側板を立設させ、前後の各側板の上縁に夫々設けた開閉天板を水平に折り込んで箱の上部開口部を塞ぎ、上記各開閉天板の先端縁を起立させて把手部を重合し、各把手部の両側を、左右の側板の上縁に夫々設けた被係止片に係止して形成した直方体形状の組立て紙箱において、上記底板の前端縁に折り目を介して設けた前側板の左右の端縁に折り目を介して夫々左右の内側板を設ける。
【０００８】
当該左右の内側板を各折り目により内側に折り込んで当該左右の内側板の各先端縁を上記前側板上で当接又は近接させ、当該当接又は近接させた左右の内側板の上記底板側の一側端縁と前側板の相応する個所を貼着し、また、上記開閉天板側の他側端縁を貼着せず開閉自在な開口部として当該左右の内側板と前側板によって備品収納部を形成し、上記各側板を折り込んで上記底板の各端縁に夫々立設する備品収納部付組立て紙箱とした。
【０００９】
請求項２の発明は、底板の四辺の各側板を各折り目により折り込んで底板の周囲に各側板を立設させ、後側板の上縁に設けた開閉天板で箱の上部開口部を塞ぐように形成した直方体形状の組立て紙箱において、上記底板の前端縁に折り目を介して設けた前側板の前端縁に折り目を介して天板を設け、当該天板の左右の端縁に折り目を介して左右の内側天板を夫々設け、当該左右の内側天板を各折り目により内側に折り込んで当該左右の内側天板の各先端縁を上記天板上で当接又は近接させ、当該当接又は近接させた左右の内側天板の上記前側板側の一側端縁と天板の相応する個所を貼着し、また、当該前側板と反対側の他側端縁を貼着せず開閉自在な開口部として当該左右の内側天板と天板によって備品収納部を形成し、上記後側板の後端縁に設けた開閉天板の三方の各端縁に折り目を介して前縁片及び左右縁片を設ける。
【００１０】
当該前側板以外の各側板を折り込んで上記底板の各端縁に夫々立設し、上記前側板を折り込んで上記底板の前端縁に立設し、上記備品収納部を設けた天板を折り目により上記底板側に折り込んで左右の側板上縁によって支持し、上記開閉天板の三方の前縁片及び左右縁片を折り込んで当該開閉天板の三方に周縁壁を設け、上記開閉天板を折り目により折り込んで上記天板に被せて当該天板の周縁に当該開閉天板の周縁壁を被せる備品収納部付組立て紙箱とした。
【００１１】
請求項３の発明は、上記左右の各内側板又は各内側天板に通気用の貫通孔を夫々設けた上記請求項１又は２の何れかに記載の備品収納部付組立て紙箱とした。
【発明の効果】
【００１２】
請求項１の発明によれば、前側板の内側全面に渡って突出部分が少ない備品収納部を設けたので、当該紙箱内に入れたケーキ等を安心して持ち運ぶことが出来る。また、各先端縁を前側板上で当接又は近接させた左右の内側板の一側端縁と当該前側板の相応する個所を貼着し、上記開閉天板側の他側端縁を貼着せず開閉自在な開口部として備品収納部を形成したので、保冷体等の備品の出し入れが容易かつ確実に出来る。また、当該備品収納部に一旦備品が収納されると、備品が左右の内側板によって押圧され、挟持された状態となり落下し難く、無闇に移動することもない。
【００１３】
請求項２の発明によれば、天板の内側全面に渡って突出部分が少ない備品収納部を設けたので、当該紙箱内に入れたケーキ等を安心して持ち運ぶことが出来る。また、各先端縁を天板上で当接又は近接させた左右の内側天板の一側端縁と当該天板の相応する個所を貼着し、反対側の他側端縁を貼着せず開閉自在な開口部として備品収納部を形成したので、保冷体等の備品の出し入れが容易かつ確実に出来る。また、当該備品収納部に一旦備品が収納されると、備品が左右の内側天板によって押圧され、挟持された状態となり落下することが無く、無闇に移動することもない。
【００１４】
さらに、天板に備品収納部を設けたので、当該備品収納部に保冷体等を収納した場合、冷気が下方へ降りる習性と相俟って、非常に効率よく、当該紙箱内の温度上昇を防ぐことが出来る。冷気が下方へ降りる習性と相俟って、非常に効率よく、当該紙箱内の温度上昇を防ぐことが出来る。
【００１５】
請求項３の発明によれば、紙箱の上部又は側部に形成される備品収納部の一側面を形成する上記左右の各内側板等に通気用の貫通孔を夫々設けたので、備品として、当該備品収納部に保冷体を入れた場合、この貫通孔により、冷気の流通が促進され、より効果的に紙箱内の温度上昇を抑えることが出来る。また、これらの貫通孔から備品収納部に入れられた備品の外観を見ることが出来、何の備品が入っているのか一目で分かる。
【発明を実施するための最良の形態】
【００１６】
底板の四辺の各側板を各折り目により折り込んで底板の周囲に各側板を立設させ、前後の各側板の上縁に夫々設けた開閉天板を水平に折り込んで箱の上部開口部を塞ぎ、上記各開閉天板の先端縁を起立させて把手部を重合し、各把手部の両側を、左右の側板の上縁に夫々設けた被係止片に係止して形成した直方体形状の組立て紙箱において、上記底板の前端縁に折り目を介して設けた前側板の左右の端縁に折り目を介して夫々左右の内側板を設ける。
【００１７】
当該左右の内側板を各折り目により内側に折り込んで当該左右の内側板の各先端縁を上記前側板上で当接又は近接させ、当該当接又は近接させた左右の内側板の上記底板側の一側端縁と前側板の相応する個所を貼着し、また、上記開閉天板側の他側端縁を貼着せず開閉自在な開口部として当該左右の内側板と前側板によって備品収納部を形成し、上記各側板を折り込んで上記底板の各端縁に夫々立設し、前後の各側板の各上縁に設けた開閉天板を水平に折り込んで各開閉天板の把手部を起立させて相互に重合し、これらの把手部の両側を係止させた。
【００１８】
これらにより、前側板の内側全面に渡って突出部分が少なく、保冷体等を収納し易く、保冷体等が落下し難い備品収納部を設けたので、当該紙箱内に入れたケーキ等を安心して持ち運ぶことが出来る。
【実施例１】
【００１９】
以下、この発明の実施例１を図に基づいて説明する。
この発明の実施例１の組立て紙箱Ａ（以下、「紙箱Ａ」と言う。）は、図１及び図２に示すように、紙箱Ａの上部に把手部を設けた、いわゆる、キャリータイプと呼ばれるもので、横長の直方体形状から成る。
【００２０】
図２に示すのは、この紙箱Ａの展開図であり、横長の長方形状の底板１の前端縁に折り目ａを介して前側板２を設け、この前側板２の前端縁に折り目ｂを介して、上記底板１と比べ前後の幅が半分である開閉前天板３を設け、この開閉前天板３の前端縁に折り目ｃを介して略台形状の把手片４を設けている。この把手片４の左右の端部には、略三角形状の係止片５を夫々設け、また、上記折り目ｃの中央部分から略山型の切り込み６（切り込み片６ａ）を設けている。
【００２１】
さらに、この前側板２の左右の各端縁には、折り目ｄを夫々介して略四角形状の左右の各内側板７を設けており、これらの各内側板７の、先端縁である左右の各端縁を湾曲した凹形状部７ａとして夫々設けている。また、これらの各内側板７には、通気用の円形状の貫通孔７ｂを３個ずつ設けている。
【００２２】
底板１の後端縁に折り目ｅを介して後側板８を設け、この後側板８の後端縁に折り目ｆを介して、上記底板１と比べ前後の幅が半分である開閉後天板９を設け、この開閉後天板９の後端縁に折り目ｇを介して略台形状の把手片１０を設けている。この把手片１０の左右の端部には、略三角形状の係止片１１を夫々設け、また、上記折り目ｇの中央部分から略山型の切り込み１２（切り込み片１２ａ）を設けている。
【００２３】
また、後側板８の左端縁に折り目ｈを介して左側板１３を設け、この左側板１３の左端縁に折り目ｉを介して折り込み片１４を設け、左側板１３の前端縁に折り目ｊを介して折り込み片１５を設け、この折り込み片１５には、上記底板１の後端縁の折り目ｅの左端部からこれらの折り込み片１５の外側の端縁に向かって傾斜折り目ｋを設け、さらに、当該折り込み片１５の前端縁の外側の角を取ってアール状に丸く形成している。
【００２４】
また、この左側板１３の後端縁に折り目ｌを介して略三角形状の被係止片１６を設けている。この被係止片１６において、折り目ｌの中央の位置から上方に一定長の切り込み１７を入れ、この切り込み１７の頂き部から開閉後天板９側に下向き曲線状の補助切り込み１８を設けている。
【００２５】
同様に、後側板８の右端縁に折り目ｍを介して右側板１９を設け、この右側板１９の右端縁に折り目ｎを介して折り込み片２０を設け、右側板１９の前端縁に折り目ｏを介して折り込み片２１を設け、この折り込み片２１には、上記底板１の後端縁の折り目ｅの右端部からこれらの折り込み片２１の外側の端縁に向かって傾斜折り目ｐを設け、さらに、当該折り込み片２１の前端縁の外側の角を取ってアール状に丸く形成している。
【００２６】
また、この右側板１９の後端縁に折り目ｑを介して略三角形状の被係止片２２を設けている。この被係止片２２において、折り目ｑの中央の位置から上方に一定長の切り込み２３を入れ、この切り込み２３の頂き部から開閉後天板９側に下向き曲線状の補助切り込み２４を設けている。
【００２７】
続いて、この様な紙箱Ａを組立て、保冷体２５を収納する。
この紙箱Ａの前側板２以外の各側板及び上記各折り込み片等を各折り目により夫々内側に折り込んで、図１に示すように、底板１の周囲の各端縁に左側板１３、右側板１９、及び後側板８を立設する。この時、左右側板１３、１９の各折り込み片１５、２１を底板１の下に折り込んで重合させ、これらの折り込み片１５、２１の傾斜折り目ｋ、ｐより外縁部分（図２において斜線で示す。）を底板１の下面に貼着する。また、左側板１３及び右側板１９の左右端縁の折り込み片１４、２０を夫々折り目ｉ、ｈにより、底板１側に折り込んでおく。
【００２８】
上記左右の内側板７を各折り目ｄにより内側（前側板２側、以下同じ）に折り込んで、図１に示すように、これら左右の内側板７の各先端縁を前側板２上で当接させる。この状態で、当該当接した左右の内側板７の底板１側の一側端縁と前側板２の相応する個所を貼着して（図１において、斜線で示す。）、これらの左右の内側板７と前側板２によって備品収納部２６を形成する。この備品収納部２６は、上記開閉前天板３側の他側端縁を貼着せず開閉自在な開口部とする。
【００２９】
そして、この備品収納部２６に備品の一つである保冷体２５を収納した後、当該備品収納部２６を設けた前側板２を折り目ａにより折りあげて、底板１の前端縁に立設する。さらに、図３に示すように、開閉前天板３、開閉後天板９を折り目ｂ、ｆにより水平に折り込み、これらの開閉前天板３、開閉後天板９の各把手片４、１０を各折り目ｃ、ｇにより起立重合させて把手部を形成し、左右の被係止片１６、２２を折り目ｌ、ｑにより把手部側（開閉前天板３、開閉後天板９側）へ折り込み、これらの被係止片１６、２２の切り込み１７、２３に各把手片４、１０の各係止片５、１１を重ねたものを差し入れて夫々係止する。
この様にして、前側板２に設けた当該備品収納部２６に保冷体２５を収納した紙箱Ａの組立ては終了する。
【００３０】
また、この紙箱Ａを折り畳むには、各把手片４、１０の係止片５、１１と被係止板１６、２２の係止を外し、開閉前後天板３、９を開いて、備品収納部２６から保冷体２５を取り出した後、当該開閉前天板３、前側板２及び底板１を、折り目ｅにより、後側板８と開閉後天板９の上に倒す、この時、図４に示すように、左右側板１３、１９が、底板１の両側で立設しているが、左右側板１３、１９の折り込み片１５、２１の一部が底板１の裏面に貼着されており（図４において、斜線で示す。）、これらの折り込み片１５、２１の傾斜折り目ｋ、ｐと左右側板１３、１９の各折り目ｈ、ｍにより、容易にこれらの左右側板１３、１９を前側板２及び底板１の上に折り畳むことが出来る。これで、紙箱Ａは、折り畳まれた扁平な状態となる。
【００３１】
この様にして、この紙箱Ａは、店頭等において、上記各側板、各折り込み板及び各折り込み片等を夫々の折り目により折り込んで、容易に、組立て折り畳み自在で、かつ、この備品収納部２６に一旦備品が収納されると、当該備品が左右の内側板７によって押圧され、挟持された状態となり落下し難く、無闇に移動することもない。しかし、備品収納部２６を形成する左右の内側板７の開閉前天板３側の他側端縁が開閉自在な開口部となっているので、備品の収納又は取り出しは容易に出来る。
【００３２】
さらに、上記左右の内側板７の各先端縁を湾曲した凹形状部７ａとして夫々設けたので、各先端縁が前側板２上で当接させた左右の内側板７の底板１側の一側端縁と当該前側板２の相応する個所を貼着して備品収納部２６を形成した際、貼着する一側端縁部分が相対向して突出しているので、容易かつ確実に貼着することが出来る。また、左右の内側板７の先端縁の湾曲した略凹形状部７ａでは、隙間を大きくとることが出来るので、保冷体２５を入れた場合、冷気の流通が促進され、さらに、これらの隙間から備品収納部２６に何の備品が入っているのか一目で分かる。
【実施例２】
【００３３】
次に、この発明の実施例２を図に基づいて説明する。
この発明の実施例２の組立て紙箱（以下、「紙箱Ｂ」と言う。）は、図５及び図６に示すように、紙箱Ｂの上部に把手部を設けていない、いわゆる、ボックスタイプと呼ばれるもので、横長の直方体形状から成る。
【００３４】
図６に示すのは、この紙箱Ｂの展開図であり、横長の長方形状の底板３１の前端縁に折り目アを介して前側板３２を設け、この前側板３２の前端縁に折り目イを介して天板３３を設けている。この天板３３の左右の端縁に折り目ウを介して左右の内側天板３４を夫々設け、これらの各内側天板３４の、先端縁である左右の各端縁を湾曲した凹形状部３４ａとして夫々設けている。また、これらの各内側天板３４には、通気用の円形状の貫通孔３４ｂを３個ずつ夫々設けている。
【００３５】
また、底板３１の左端縁に折り目エを介して左外側板３５を設け、この左外側板３５の左端縁に折り目オを介して細幅の折り込み左側片３６を設け、左外側板３５の前端縁に折り目カを介して折り込み板３７を設けている。また、同様に、底板３１の右端縁に折り目キを介して右外側板３８を設け、この右外側板３８の右端縁に折り目クを介して細幅の折り込み右側片３９を設け、右外側板３８の前端縁に折り目ケを介して折り込み板４０を設けている。
【００３６】
また、これらの左外側板３５と右外側板３８には、底板３１の後端縁の折り目コの各端部から左外側板３５及び右外側板３８の外側角部に向けて対角線折り目サを夫々設けている。さらに、各折り目エ、キの前側の位置に一定長の切り込み４１、４２を設け、後述する左内側板、右内側板を立設した際、当該左内側板、右内側板の各突部を挿入し係止するようにしている。
【００３７】
底板３１の後端縁に折り目コを介して後側板４３を設け、この後側板４３の後端縁に折り目シを介して開閉天板４４を設け、この開閉天板４４の後端縁に折り目スを介して細幅の開閉天板前縁片４５を設けている。また、この開閉天板前縁片４５の左右の各端縁に折り目セを介して略四角形状の折り込み舌片４６を夫々設け、開閉天板４４の左右の各端縁に折り目ソを介して細幅の開閉天板左右縁片４７を夫々設けている。これらの各開閉天板左右縁片４７には、上記開閉天板４４の後端縁の折り目スの各端部からこれらの各開閉天板左右縁片４７の外側の端縁に向かって夫々傾斜折り目タを夫々設け、さらに、当該各開閉天板左右縁片４７の前端縁の外側の角を取って夫々アール状に丸く形成している。
【００３８】
さらに、上記後側板４３の左右の各端縁に折り目チ、ツを介して左内側板４８、右内側板４９を夫々設け、これらの左内側板４８、右内側板４９の前端縁の夫々外側の一部に、突部４８ａ、４９ａを残して当該各前端縁を内側に一定長切り欠いている。また、底板３１の後端縁の折り目コの中央部分に一定長の切り込み５０を設けている。
【００３９】
続いて、この紙箱Ｂを組立て、保冷体２５を収納する。
この紙箱Ｂの前側板３２以外の各側板及び上記各折り込み板等を各折り目により夫々内側に折り込んで底板３１の周囲の各端縁に、左内側板４８、右内側板４９、左外側板３５、右外側板３８及び後側板４３を立設する。そして、左外側板３５を外側にして左内側板４８と、また、右外側板３８を外側にして右内側板４９とを夫々重ね合わせて、左外側板３５の内面の上部（図６において折り目サの上部の斜線で示す。）と左内側板４８の外面の上部（図６において点線斜線で示す。）、及び右外側板３８の内面の上部（図６において折り目サの上部の斜線で示す。）と右内側板４９の外面の上部（図６において点線斜線で示す。）を貼着する。また、その際、左内側板４８の突部４８ａ及び右内側板４９の突部４９ａを夫々上記切り込み４１、４２に挿入係止する。
【００４０】
また、折り込み左側片３６と折り込み右側片３９を折り目オ、クにより底板３１側へ夫々折り込む。さらに、左外側板３５及び右外側板３８の前端縁の折り込み板３７、４０を夫々折り目カ、ケにより、底板３１側に折り込んでおく。
【００４１】
さらに、上記開閉天板前縁片４５及び各開閉天板左右縁片４７を夫々開閉天板４４側に折り込み、当該開閉天板４４の左右の各開閉天板左右縁片４７を外側にして、上記開閉天板前縁片４５の左右の各折り込み舌片４６を夫々重ね合わせ、各折り込み舌片４６の外面の上部（図６において点線斜線で示す。）と当該各開閉天板左右縁片４７の内面の上部（図６において折り目タの上部の斜線で示す。）を夫々貼着する。これらを折り込んで、開閉天板４４の三方の端縁に周縁壁５１を形成する。
【００４２】
そして、上記左右の内側天板３４を各折り目ウにより内側に折り込んで当該左右の内側天板３４の各先端縁を上記天板３３上で当接させ、当該当接した左右の内側天板３４の前側板３２側の一側端縁と天板３３の相応する個所を貼着する（図５において、斜線で示す。）。これにより、これらの左右の内側天板３４と天板３３によって備品収納部５２を形成し、この備品収納部５２に備品の一つである保冷体２５を収納する。
【００４３】
さらに、上記前側板３２を折り目アにより折り込んで上記底板３１の前端縁に立設し、図７に示すように、上記備品収納部５２を設けた天板３３を折り目イにより上記底板３１側に折り込んで、備品収納部５２を底面３１に向けて倒し、折り込み左側片３６、折り込み右側片３９、及び折り込み板３７、４０によって支持する。これらの左右の折り込み左側片３６、折り込み右側片３９、及び折り込み板３７、４０は、上述の通り左外側板３５、右外側板３８に設けられて支持されたものであり、さらに、折り込み左側片３６、折り込み右側片３９は、図５に示すように、左内側板４８と右内側板４９にも夫々支持されたものである。そして、上記開閉天板４４を折り目シにより折り込んで当該天板３３の上から被せ、当該天板３３の周縁に当該開閉天板４４の周縁壁５１を被せる。この様にして、当該備品収納部５２に保冷体２５を収納し、備品収納部５２を天板３３に設けた紙箱Ｂを組立てる。
【００４４】
また、この紙箱Ｂを折り畳むには、開閉天板４４を開き、天板３３を開いて備品収納部５２から保冷体２５を取り出した後、上記左外側板３５及び上記右外側板３８の上記対角線折り目サを夫々内側に折り込んで底板３１上に、左外側板３５、左内側板４８、右外側板３８及び右内側板４９を夫々折り込む。この時、左内側板４８、右内側板４９の各突部４８ａ、４９ａは、底板３１の折り目コの切り込み５０の中に挿入される。また、これにより、後側板４３及び開閉天板４４も、左内側板４８、右内側板４９に引っ張られて折り畳まれる（図示省略）。
【００４５】
さらに、上記開閉天板４４の左右の各開閉天板左右縁片４７の上記傾斜折り目タを夫々内側に折り込んで当該各開閉天板左右縁片４７、及び上記開閉天板前縁片４５の左右の各折り込み舌片４６を開閉天板４４上に折り込みながら、底板３１の後端縁の折り目コにより上記後側板４３及び上記開閉天板４４を底板３１上に扁平に折り畳む構成としている（図示省略）。
【００４６】
この様にして、この紙箱Ｂによると、店頭等において、上記各側板、各折り込み板及び各折り込み片等を夫々の折り目により折り込んで、容易に、組立て、折り畳みが自在で、かつ、この備品収納部５２に一旦備品が収納されると、当該備品が左右の内側天板３４によって押圧され、挟持された状態となり落下し難く、無闇に移動することもない。しかし、備品収納部５２を形成する左右の内側天板３４の、前側板３２と反対側の他側端縁が開閉自在な開口部となっているので、備品の収納又は取り出しは容易に出来る。
【００４７】
また、上記左右の内側天板３４の各先端縁を湾曲した凹形状部３４ａとして設けたので、各先端縁が前側板３２上で当接させた左右の内側天板３４の一側端縁と当該前側板３２の相応する個所を貼着して備品収納部５２を形成した際、貼着する一側端縁が相対向して突出しているので、容易かつ確実に貼着することが出来る。また、左右の内側天板３４の先端縁の湾曲した凹形状部３４ａでは、隙間を大きくとることが出来るので、保冷体２５を入れた場合、冷気の流通が促進され、さらに、これらの隙間から備品収納部５２に何の備品が入っているのか一目で分かる。
【００４８】
次に、この発明の応用例１を図に基づいて説明する。
この発明の応用例１の組立て紙箱（以下、「紙箱Ｃ」と言う。）は、上記実施例２の紙箱Ｂと同様に、ボックスタイプと呼ばれるもので、横長の直方体形状から成り、備品収納部は、前側板の内側面に設けており、また、備品収納部の構成は異なるが、他の構成は上記実施例２の紙箱Ｂとほぼ同様である。
【００４９】
図８に示すのは、この紙箱Ｃの展開図であり、底板６１の前端縁に折り目ナを介して設けた前側板６２の左端縁に折り目ニを介して左内側片６３を設けており、この左内側片６３は、上記左端縁から先細にすぼめ、その先端を一定の細幅に形成した板体から成り、この板体に長手方向に沿って、貫通した長孔６３ａを設けている。
【００５０】
また、前側板６２の右端縁に折り目ヌを介して右内側片６４を設けており、この右内側片６４は、上記左内側片６３と外形は似ているが左右方向の長さが短く、長孔も設けていない。
【００５１】
さらに、前側板６２の前端縁には折り目ネを介して折り込み板６５を設けており、この折り込み板６５の先端の左右の端縁は、一部を切り欠いて係止部６５ａとして夫々設けている。また、左右の外側板６６、６７の左右の端縁に設けた折り込み左側片６８と折り込み右側片６９の左右の端縁の前部の一部を切り欠いて被係止部６８ａ、６９ａを設けており、左右の外側板６６、６７の前端縁には折り目ホ、マを介して折り込み板７８、７９を夫々設けている。
【００５２】
また、前側板６２と折り込み板６５には、折り目ネを超えて略Ｕ字型の切り込みを入れて折り目ヘを介して係止片７０を設けており、この係止片７０には先端部との間に折り目ミを設けている。さらに、開閉天板７１と開閉天板前縁片７２の間の折り目ヒに切り込み７３を設けている。この開閉天板７１は上記実施例２の開閉天板４４と構成が同じである。
【００５３】
続いて、この紙箱Ｃを組立て、保冷体２５を収納する。
この紙箱Ｃの前側板６２以外の各側板及び上記各折り込み板等を各折り目により夫々内側（底板１側）に折り込んで底板６１の周囲の各端縁に、左内側板７４、右内側板７５、左外側板６６、右外側板６７及び後側板７６を立設する。そして、左外側板６６、左内側板７４、右外側板６７、右内側板７５の組立ては、実施例２と同様に行う。
【００５４】
次に、上記前側板６２の左右の左内側片６３、右内側片６４を各折り目ニ、ヌにより内側（前側板６２側）に折り込んで、図９に示すように、これら左内側片６３、右内側片６４の各先端縁を前側板６２上で当接させて重合部をそのまま貼着する。この様にして一体となった左内側片６３と右内側片６４の形状は、図９において、底板６１側の一側端縁の中央部を凹型に切り欠き、また、前側板６２の折り込み板６５側の他側端縁の中央部を凹型に大きく切り欠いた略Ｈ字型に設けている。この左内側片６３と右内側片６４と前側板６２に囲まれた備品収納部７７を形成する。この様に、備品収納部７７を形成する部材を出来る限り少なくして、備品収納部７７が嵩張るのを抑えるようにしている。
【００５５】
さらに、備品収納部７７を設けた前側板６２を折り目ナにより立設した場合、立設した左右の外側板６６、６７の折り込み板７８、７９の間に備品収納部７７の備品を収納した部分が来るようにして、折り込み板７８、７９と備品収納部７７の備品を収納した部分が当接しないようにしている。これにより、折り込み板７８、７９と備品収納部７７が互いに邪魔にならず、また、この備品収納部７７に備品を収納しても内外に大きく膨らむことがない。
【００５６】
これと逆に備品収納部７７を形成する左内側片６３、右内側片６４を前側板６２上いっぱいに大きく形成すると、備品を収納した部分も大きくなり、前側板６２を立設した際に、左右の折り込み板７８、７９と当該左内側片６３、右内側片６４が当接して内外に大きく膨らみ、紙箱内に収納されたケーキ等と接触したり、紙箱としても隙間が出来るなどして不都合な状態を招く。
【００５７】
また、この備品収納部７７に、備品の一つである保冷体２５を収納した場合、備品収納部７７を上記の通り、両側端縁を切り欠いているので、冷気の流通が促進され、また、これらの切り欠きから備品収納部７７に何の備品が入っているのか一目で分かる。
【００５８】
そして、備品収納部７７を設けた前側板６２を折り目ナにより底板６１の前端縁に立設した後、折り込み板６５を折り目ネにより底板６１側に折り込み、折り込み板６５の左右の係止部６５ａを、折り目ノ、ハにより底板６１側に夫々折り込まれた折り込み左側片６８上と折り込み右側片６９上に被せ、これらの被係止部６８ａ、６９ａに係止して固定する。
【００５９】
この後、折り込み板６５を折り目ネで折り込むことにより立設した上記係止片７０を折り目ヘにより外側に起こし、開閉天板７１を折り目フにより底板１側に水平に折り込んで当該紙箱Ｃの開口部の周縁に当該開閉天板７１の周縁壁を被せる。その後、係止片７０の先端部を折り目ミにより直角に折り曲げて、当該係止片７０の先端部を開閉天板７１と開閉天板前縁片７２の間の折り目ヒに設けた切り込み７３に差し入れて、開閉天板７１を固定する。
この様にして、前側板６２に設けた当該備品収納部７７に保冷体２５を収納した紙箱Ｃの組立ては終了する。
【００６０】
なお、上記実施例１において、把手部付の紙箱Ａの把手片４、開閉前後天板３、９及び各側板の構成として、具体的に記載しているが、把手部付組立て紙箱Ａの各側板の構成としては、これに限定するものではなく、他の構成のものでもよく、また、実施例２において、ボックスタイプの紙箱Ｂの開閉天板４４及び各側板の構成として、具体的に記載しているが、ボックスタイプの紙箱Ｂの開閉天板４４及び各側板の構成としては、これに限定するものではなく、他の構成のものでもよい。
【００６１】
さらに、紙箱Ａ、Ｂの左右の内側板７、内側天板３４の各先端縁を当接させて、夫々底板１側又は前側板３２側の一側端縁を貼着しているが、これらは当接させずに、収納する備品が落ちない程度に近接させた状態で夫々の一側端縁を貼着して備品収納部２６、５２を形成するようにしても良い。また、備品収納部２６、５２に収納するものとして、保冷体２５を使用したが、保冷体２５の他、ローソク、ナプキン等の備品を収納することが出来る。また、各内側板７、各内側天板３４に通気用の貫通孔７ｂ、３４ｂとして、円形状のものを３個夫々形成したが、貫通孔７ｂ、３４ｂの形状や個数は、適宜必要な形状及び数量を設ければよく、もちろん、なくても良い。
【００６２】
また、実施例２において、備品収納部５２を設けた天板３３を折り込んで、底面３１に向けて倒し、左右の折り込み左側片３６、折り込み右側片３９、及び折り込み板３７、４０によって支持しているが、備品収納部５２を設けた天板３３は、必ずしもこれらの左右の折り込み左側片３６、折り込み右側片３９、及び折り込み板３７、４０によって支持されなくてもよく、これらに換えて、左右内側板４８、４９及び左右外側板３５、３８の各上縁によって直接支持するようにしてもよく、その場合、これらの折り込み左側片３６、折り込み右側片３９、及び折り込み板３７、４０はなくてもよい
【００６３】
さらに、応用例１において、左内側片６３、右内側片６４、細長の貫通孔６３ａ、係止片７０、切り込み７３、前側板６２の折り込み板６５の係止部６５ａ、及び左右の外側板６６、６７の折り込み左側片６８と折り込み右側片６９の各被係止部６８ａ、６９ａの各構成は、必ずしも全て設ける必要はなく、これらのうち、幾つかを選択して設けてもよい。また、一体に設けた左内側片６３と右内側片６４の略Ｈ字型の形状として、二つの側端縁の中央部を凹型に切り欠いて設けているが、一体に設けた左内側片６３と右内側片６４の略Ｈ字型の形状としてはこれに限るものではない。また、備品収納部７７に保冷体２５を収納する方法として、左内側片６３に設けた長孔６３ａから備品収納部７７内に保冷体２５を差し入れて係止するようにしてもよい（図示省略）。
【図面の簡単な説明】
【００６４】
【図１】この発明の実施例１の紙箱の備品収納部に保冷体を収納し、組立て途中の状態を示す斜視図である。
【図２】この発明の実施例１の紙箱の展開図である。
【図３】この発明の実施例１の紙箱の備品収納部に保冷体を収納し、組立てた状態を示す斜視図である。
【図４】この発明の実施例１の紙箱の折り畳み途中の状態を示す斜視図である。
【図５】この発明の実施例２の紙箱の備品収納部に保冷体を収納し、組立て途中の状態を示す斜視図である。
【図６】この発明の実施例２の紙箱の展開図である。
【図７】この発明の実施例２の紙箱の組立て途中の状態を示す斜視図である。
【図８】この発明の応用例１の紙箱の展開図である。
【図９】この発明の応用例１の紙箱の組立て途中の状態を示す一部切欠斜視図である。
【符号の説明】
【００６５】
Ａ    紙箱                              Ｂ    紙箱
１    底板                              ２    前側板
３    開閉前天板                        ７    内側板
９    開閉後天板                      ２５    保冷体
２６    備品収納部                      ３１    底板
３２    前側板                          ３３    天板
３４    内側天板                        ５２    備品収納部
【図１】
2007186219.tif 000003
【図２】
2007186219.tif 000004
【図３】
2007186219.tif 000005
【図４】
2007186219.tif 000006
【図５】
2007186219.tif 000007
【図６】
2007186219.tif 000008
【図７】
2007186219.tif 000009
【図８】
2007186219.tif 000010
【図９】
2007186219.tif 000011